(57)【要約】【課題】  記録した番組を再生しようとするときもしくは再生時に、記録時におけるチャンネル遷移履歴を確認するというような、再生時にチャンネル遷移履歴を用いて活用する。【解決手段】  制御部２６１は、番組を記録しているときにディスプレイに表示させ視聴した番組のチャンネル遷移履歴を、記録される番組と対応付けて記録する。制御部２６１は、記録媒体に記録された番組を再生した画像、または記録媒体に記録されている番組を再生するために前記記録された番組を選択するための画像を生成するよう制御する。制御部２６１は、再生された番組と、チャンネル遷移履歴の情報を合成し、例えば記録時に視聴済みの箇所にはタイムバー等で視聴箇所は色等を変えてディスプレイに表示させる。【選択図】      図５
2008252821.tif 000002
【特許請求の範囲】
【請求項１】
番組の視聴に用いるための第１のチューナと、
番組の記録に用いるための第２のチューナと、
前記第１のチューナにより受信された番組を表示する表示手段と、
前記第２のチューナにより受信された番組を記録および再生する記録再生手段と、
前記番組を記録しているときの前記表示手段により視聴した番組のチャンネル遷移履歴を、前記記録再生手段に記録される番組と対応付けて記録するチャンネル遷移履歴記録手段と、
前記記録再生手段により記録され番組を再生した画像、または前記記録再生手段により記録された番組を再生するために前記記録された番組を選択するための画像を生成する画像生成手段と、
前記画像生成手段により生成された画像および前記チャンネル遷移履歴を合成する画像合成手段と、
前記画像合成手段により合成された画像を前記表示手段に表示させる表示制御手段とを備えたことを特徴とするテレビジョン受信装置。
【請求項２】
前記記録手段は、前記番組を記録しているときの前記表示手段により視聴した番組のチャンネル遷移履歴において、前記記録手段により記録した番組のチャンネルへ切り替えた箇所と、前記記録手段により記録した番組のチャンネルから切り替えた箇所にチャプターを打つことを特徴とする請求項１記載のテレビジョン受信装置。
【請求項３】
前記記録手段は、前記番組を記録しているときの前記表示手段により視聴した番組のチャンネル遷移履歴において、前記記録手段により記録した番組のチャンネルへ切り替えた箇所と、前記記録手段により記録した番組のチャンネルから切り替えた箇所にチャプターを打つことを特徴とする請求項１記載のテレビジョン受信装置。
【請求項４】
更に、前記番組を記録しているときの前記表示手段により視聴した番組の箇所と、視聴していない番組の箇所とを識別可能なタイムバーを生成するタイムバー生成手段を有し、
前記画像合成手段は前記タイムバーについても合成を行うことを特徴とする請求項１乃至３のいすれか１項に記載のテレビジョン受信装置。
【請求項５】
前記タイムバーを生成するタイムバー生成手段は、チャプターが打たれた時間に対応する箇所に、チャプターマークを含むタイムバーを生成することを特徴とする請求項４記載のテレビジョン受信装置。
【請求項６】
更に、前記番組を記録しているときの前記表示手段により視聴しなかった番組の箇所のみを連続して記録再生手段により再生させる制御手段とを備えたことを特徴とする請求項１乃至５のいすれか１項に記載のテレビジョン受信装置。
【発明の詳細な説明】
【技術分野】
【０００１】
この発明は、テレビジョン受信装置に関し、特に視聴履歴を記録するテレビジョン受信装置に関する。
【背景技術】
【０００２】
従来、ユーザの操作に基づくチャンネル遷移の履歴データを記憶するチャンネル遷移履歴記憶手段を備えるマルチメディア情報機器が知られている（例えば、特許文献１参照）。
【０００３】
また、過去に視聴していたチャンネルデータを任意の数分視聴履歴データとして格納する視聴履歴データ格納手段を具備したデジタル放送受信機が知られている（例えば、特許文献２参照）。
【０００４】
一旦記録した番組を再生するときには、記録時にリアルタイムで視聴した箇所を飛ばして視聴したいという要求がある。しかし従来の記録機能を持ったテレビジョン受信装置においては、記録した番組を再生しようとするときもしくは再生時に、記録時におけるチャンネル遷移履歴を確認するというような、再生時にチャンネル遷移履歴を用いて活用することはできないという問題があった。
【特許文献１】特開２００５−１３００８７号公報
【特許文献２】特開２００４−３３６３１２号公報
【発明の開示】
【発明が解決しようとする課題】
【０００５】
このように従来のテレビジョン受信装置においては、記録した番組を再生しようとするときもしくは再生時に、記録時におけるチャンネル遷移履歴を確認するというような、再生時にチャンネル遷移履歴を用いて活用することはできないという問題があった。
【０００６】
この発明は、記録した番組を再生しようとするときもしくは再生時に、記録時におけるチャンネル遷移履歴を確認するというような、再生時にチャンネル遷移履歴を用いて活用することができるテレビジョン受信装置を提供することを目的とする。
【課題を解決するための手段】
【０００７】
上記の目的を達成するために、この発明においては、番組の視聴に用いるための第１のチューナと、番組の記録に用いるための第２のチューナと、前記第１のチューナにより受信された番組を表示する表示手段と、前記第２のチューナにより受信された番組を記録および再生する記録再生手段と、前記番組を記録しているときの前記表示手段により視聴した番組のチャンネル遷移履歴を、前記記録再生手段に記録される番組と対応付けて記録するチャンネル遷移履歴記録手段と、前記記録再生手段により記録され番組を再生した画像、または前記記録再生手段により記録された番組を再生するために前記記録された番組を選択するための画像を生成する画像生成手段と、前記画像生成手段により生成された画像および前記チャンネル遷移履歴を合成する画像合成手段と、前記画像合成手段により合成された画像を前記表示手段に表示させる表示制御手段とを備えたことを特徴とするテレビジョン受信装置を提供する。
【０００８】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００９】
この発明によれば、記録した番組を再生しようとするときもしくは再生時に、記録時におけるチャンネル遷移履歴を確認するというような、再生時にチャンネル遷移履歴を用いて活用することができる。
【発明を実施するための最良の形態】
【００１０】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１１】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１２】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１３】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１４】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１５】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１６】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１７】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００１８】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１９】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２０】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２１】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２２】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２３】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２４】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２５】
なお、図２ではチューナは１組しか記載していないが、本実施形態では、地上チューナ２組、ＢＳ／ＣＳデジタル放送受信用チューナ２組持っているものである。
チューナ２４５ａは、制御部２６１からの制御信号により所望のチャンネルの放送信号を選局し、この選局された放送信号をＰＳＫ（Phase Shift Keying）復調器２４５ｂに出力する。
【００２６】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２７】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２８】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００２９】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３０】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３１】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３２】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３３】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３４】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３５】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００３６】
また、字幕放送による字幕を表示するとき、グラフィック処理部２５４は、制御部２６１からの制御による字幕情報に基づき、映像信号上に字幕情報を重畳する処理を行う。
【００３７】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３８】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３９】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４０】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４１】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４２】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４３】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４４】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４５】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００４６】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００４７】
ところで、この実施形態ではＨＤＤ１２５に、初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００４８】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００４９】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００５０】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００５１】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５２】
このようなデジタルテレビジョン放送受信装置１１１による番組記録時の動作について説明する。
図３は、番組記録時の動作を説明するためのフローチャートである。
ステップＳ３０１：ユーザによるリモートコントローラ１１７の操作により番組記録開始の指示が行われると、デジタルテレビジョン放送受信装置１１１は指定されたＨＤＤに、図４（ａ）に示すように番組の記録を開始する。
【００５３】
ステップＳ３０２：ステップＳ３０１による番組の記録に対応付けて番組に対応付けて、図４（ｂ）に示す通りチャンネル切換履歴を記録開始からの時間と共に記録する。
【００５４】
ステップＳ３０３：番組の記録終了後、記録した番組にチャプターの情報を付加する。
次に、このように記録した番組を再生するときの動作について説明する。
図５は、ＨＤＤに記録された番組の一覧リストの画面を示す。ユーザはリモートコントローラ１１７を操作し、ＧＵＩによるメニュー等からＨＤＤに記録された番組の一覧リストを表示させる。
【００５５】
制御部２６１は、図５に示すように画面右側にリストを表示させる。このリストの中でリモートコントローラ１１７の上下キー等により、視聴しようとしている番組を選択することができるようになっており、番組が現在選択されている番組にはカーソルが置かれている。図５では、太線枠のカーソルが置かれている「フシテレビ  笑っていいよ」にカーソルが置かれていることを示している。
【００５６】
制御部２６１は、このカーソルが置かれた番組をプレビューとして図５左側に動画として再生させる。制御部２６１は、現在再生している位置が分かるように、再生マークをタイムバーの横に表示する。
【００５７】
図５左下には、制御部２６１により生成されたタイムバーが配置され表示される。このタイムバーは現在選択されている番組のタイムバーとチャプターの位置を示すマークである。タイムバーの内、番組録画時にリアルタイムに視聴した箇所とそうでない箇所とを識別可能に表示する。図５では、タイムバーの斜線部が記録時においてリアルタイム視聴した箇所であり、斜線のない部分がリアルタイムには視聴しなかった箇所であることを示している。
【００５８】
ユーザは、この図５の画面でリモートコントローラ１１７の図示しないチャプター指定キー（ダイレクトのチャプター番号キーや、前後のチャプターへジャンプるすチャプタージャンプキー）等により、チャプターをジャンプさせることができる。例えば、リモートコントローラ１１７の図示しないチャプター指定キー“２”を押下すると、この支持がデジタルテレビジョン放送受信装置１１１へ伝わり、チャプター番号“２”へジャンプすることができる。もし、再生されていない状態からチャプター指定キー“２”が押下されると、チャプター番号“２”から再生が開始される。再生されている状態でチャプター指定キー“２”が押下されると、再生していた位置からチャプター番号“２”へジャンプし、引き続いてチャプター番号“２”から再生が継続される。
【００５９】
このように番組を記録しているときの前記表示手段により作成された任意のチャプター箇所から再生を開始させることができる。
ユーザは、このチャプターを使ってタイムバーの斜線のない箇所のみ（即ち、再生時、記録時にリアルタイムで視聴しなかった部分）を再生することができる。即ち、再生時、記録時にリアルタイムで視聴した部分に入ったら１つ先のチャプターへジャンプさせて再生を続けることにより、記録時に視聴しなかった箇所のみを再生し視聴することが可能となる。
【００６０】
この場合ユーザはマニュアル操作でチャプタージャンプを繰り返すことになる。
このチャプタージャンプを繰り返さなければならないという問題を解決するために、記録時に視聴しなかった箇所のみを連続再生するためのキーをリモートコントローラ１１７に設けておき、そのキーが押下されたら、記録時に視聴しなかった箇所のみを自動で連続して全て再生するようにしてもよい。こうするとユーザがいちいちチャプターを操作する手間を省くことができる。
【００６１】
図５ではタイムバーを用いたが、図６はタイムバーに代え、チャンネル切り替えリストの形で表示したものである。本発明はこのようにチャンネル切り替えリストの形で表示しても、本発明の効果を得ることができる。
【００６２】
図５および図６では、プレビュー画面としたが、本発明はこれに限定されるものではない。例えば図7に示すように全画面を用いた再生画面上に表示してもよい。
以上説明したとおり、本発明によれば、記録した番組を再生しようとするときもしくは再生時に、記録時におけるチャンネル遷移履歴を確認するというような、再生時にチャンネル遷移履歴を用いて活用することができるテレビジョン受信装置を提供することができる。
【００６３】
変形例としては、ザッピングを繰り返す等してチャンネルの切り替えが短時間で切り替えられている場合などの場合には、チャプターの挿入は行わないようにする。こうすることにより無意味なチャプターの挿入を防止することができる。
【００６４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００６５】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】番組記録時の動作を説明するためのフローチャート。
【図４】番組の記録と、チャンネル切換履歴との対応付けを説明するための図。
【図５】ＨＤＤに記録された番組の一覧リストの画面を示す図。
【図６】ＨＤＤに記録された番組の一覧リストの画面を示す図。
【図７】番組を再生しているときの画面を示す図。
【符号の説明】
【００６６】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2008252821.tif 000003
【図２】
2008252821.tif 000004
【図３】
2008252821.tif 000005
【図４】
2008252821.tif 000006
【図５】
2008252821.tif 000007
【図６】
2008252821.tif 000008
【図７】
2008252821.tif 000009